(57)【要約】【課題】液密性を維持する必要がある制御室９を内部に形成する燃料噴射弁において、異物の多い粗悪な燃料を使用しても、噴射特性を損なわずに長期使用に耐えうるようにする。【解決手段】制御室９には磁石３４が配されている。これにより、制御室９の燃料に含まれる鉄系の異物は、磁石３４に吸引されて捕捉されるので、制御室９から摺動隙間２４の方に向う燃料は、少なくとも鉄系異物が除去された状態になる。このため、液密性を維持する必要がある制御室９を内部に形成する燃料噴射弁において、異物の多い粗悪な燃料を使用しても、噴射特性を損なわずに長期使用に耐えうるようにすることができる。【選択図】図３
2010163981.tif 000002
【特許請求の範囲】
【請求項１】
噴孔を開閉する噴射弁体と、この噴射弁体を開弁方向に駆動する駆動力を発生するアクチュエータとを備える燃料噴射弁において、
所定の摺動孔を有するボディと、前記摺動孔に摺動自在に収容されて前記ボディとともに燃料の流動部を形成する摺動部材とを備え、
前記摺動部材は、前記流動部を液密的に封鎖するとともに、前記アクチュエータの動作に応じて、前記摺動孔内を移動して前記流動部の容積を可変し、
前記流動部には、磁石が配されていることを特徴とする燃料噴射弁。
【請求項２】
請求項１に記載の燃料噴射弁において、
前記摺動部材は、非磁性材を素材として設けられていることを特徴とする燃料噴射弁。
【請求項３】
請求項１または請求項２に記載の燃料噴射弁において、
前記流動部は、前記噴射弁体に対し閉弁方向に燃料圧を作用させるとともに、燃料圧の増減操作により前記噴射弁体を開弁方向または閉弁方向に駆動するための制御室であり、
前記制御室へ燃料を流入させるための流入流路、および、前記制御室から燃料を流出させるための流出流路が形成され、
前記アクチュエータの動作に応じて、前記流出流路を前記制御室に対して開閉することで、前記制御室への燃料の流出入状態を可変して前記制御室の燃料圧を増減することを特徴とする燃料噴射弁。
【請求項４】
請求項１ないし請求項３の内のいずれか１つに記載の燃料噴射弁において、
前記摺動部材は、前記噴射弁体であり、
前記流動部は、前記噴射弁体に対し開弁方向に燃料圧が作用するとともに、前記噴孔から噴射される燃料が溜まるノズル室であることを特徴とする燃料噴射弁。
【発明の詳細な説明】
【技術分野】
【０００１】
本発明は、内燃機関に燃料を噴射して供給する燃料噴射弁に関する。
【背景技術】
【０００２】
従来から、燃料噴射弁は、噴孔を開閉する噴射弁体と、噴射弁体を開弁方向に駆動する駆動力を発生するアクチュエータと、噴射弁体を閉弁方向に付勢するスプリングを備える。そして、噴射弁体およびアクチュエータの動作に関連して、燃料噴射弁の内部には、液密性を維持する必要がある種々の燃料の流動部が形成されている。
【０００３】
この流動部は、例えば、噴射弁体に対し閉弁方向に燃料圧を作用させるとともに、燃料圧の増減操作により噴射弁体を開弁方向または閉弁方向に駆動するための制御室や、噴射弁体に対し開弁方向に燃料圧が作用するとともに、噴孔から噴射される燃料が溜まるノズル室である（例えば、特許文献１）。
【０００４】
そして、噴射弁体の開閉弁動作（つまり、噴射弁体の軸方向における移動）の特性は、噴射弁体に作用する各種の付勢力（つまり、制御室の燃料圧による付勢力、ノズル室の燃料圧による付勢力、およびスプリングの付勢力等）のバランスに依存している。このため、制御室やノズル室の液密性が低く燃料圧が目標どおりに維持されない場合、噴射弁体の動作特性が変動し、結果的に燃料噴射弁の噴射特性が損なわれてしまう。
【０００５】
さらに、ディーゼルエンジンへの燃料噴射に関しては、排ガスにおける黒煙低減やＰＭ低減等のために噴射圧の高圧化が進んでおり、噴射圧の低下防止のためにも制御室やノズル室の液密性を維持する必要性が高い。
【０００６】
ところで、制御室やノズル室は、所定の摺動孔を有するボディと、摺動孔に摺動自在に収容されて支持される摺動部材とにより形成されている。例えば、特許文献１の制御室は、燃料噴射弁の本体ボディに設けられた摺動孔に、摺動部材としてのコマンドピストンが摺動自在に収容されて支持されることで形成されている。また、摺動孔をなす本体ボディの内周面とコマンドピストンの外周面との間には、微小な摺動隙間が形成されている。そして、摺動隙間を通じて制御室から流出する燃料のリーク量を抑制することで、制御室の液密性が維持されている。
【０００７】
このため、燃料に異物が含まれていると、摺動隙間に異物が入り込んでスティックしたり摺接面を傷付けたりする虞があり、このような事態が生じると液密性が維持されなくなって燃料噴射弁の噴射特性が損なわれてしまう。
しかし、噴射すべき燃料の品質は千差万別であり、微細な異物を多く含む粗悪な燃料も存在するので、燃料噴射弁には、異物の多い粗悪な燃料を使用しても、噴射特性を損なわずに長期使用に耐えうる構成が求められている。
【先行技術文献】
【特許文献】
【０００８】
【特許文献１】特開２００１−２９５９５８号公報
【発明の概要】
【発明が解決しようとする課題】
【０００９】
本発明は、上記の問題点を解決するためになされたものであり、その目的は、液密性を維持する必要がある燃料の流動部を内部に形成する燃料噴射弁において、異物の多い粗悪な燃料を使用しても、噴射特性を損なわずに長期使用に耐えうるようにすることにある。
【課題を解決するための手段】
【００１０】
〔請求項１の手段〕
請求項１に記載の燃料噴射弁は、噴孔を開閉する噴射弁体と、噴射弁体を開弁方向に駆動する駆動力を発生するアクチュエータとを備える。また、燃料噴射弁は、所定の摺動孔を有するボディと、摺動孔に摺動自在に収容されてボディとともに燃料の流動部を形成する摺動部材とを備え、摺動部材は、流動部を液密的に封鎖するとともに、アクチュエータの動作に応じて、摺動孔内を移動して流動部の容積を可変する。そして、流動部には磁石が配されている。
【００１１】
これにより、燃料に含まれる鉄系の異物は、流動部において磁石に吸引されて捕捉されるので、流動部から摺動隙間の方に向う燃料は、少なくとも鉄系異物が除去された状態になる。このため、液密性を維持する必要がある流動部を内部に形成する燃料噴射弁において、異物の多い粗悪な燃料を使用しても、噴射特性を損なわずに長期使用に耐えうるようにすることができる。
【００１２】
〔請求項２の手段〕
請求項２に記載の燃料噴射弁によれば、摺動部材は、非磁性材を素材として設けられている。
これにより、摺動部材は、流動部に磁石が存在しても磁化しなくなるので、鉄系異物は、より磁石の方に移動し易くなるとともに、摺動隙間の方には移動しにくくなる。このため、磁石による鉄系異物の除去が、より効率的になる。
【００１３】
〔請求項３の手段〕
請求項３に記載の燃料噴射弁によれば、流動部は、噴射弁体に対し閉弁方向に燃料圧を作用させるとともに、燃料圧の増減操作により噴射弁体を開弁方向または閉弁方向に駆動するための制御室である。また、制御室へ燃料を流入させるための流入流路、および、制御室から燃料を流出させるための流出流路が形成されている。そして、燃料噴射弁は、アクチュエータの動作に応じて、流出流路を制御室に対して開閉することで、制御室への燃料の流出入状態を可変して制御室の燃料圧を増減する。
この手段は、流動部の一態様として制御室を例示するものである。
【００１４】
〔請求項４の手段〕
請求項４に記載の燃料噴射弁によれば、摺動部材は噴射弁体であり、流動部は、噴射弁体に対し開弁方向に燃料圧が作用するとともに、噴孔から噴射される燃料が溜まるノズル室である。
この手段は、摺動部材の一態様として噴射弁体を例示し、流動部の一態様としてノズル室を例示するものである。
【図面の簡単な説明】
【００１５】
【図１】燃料噴射弁の全体構成図である（実施例）。
【図２】燃料噴射弁の要部拡大図である（実施例）。
【図３】燃料噴射弁の要部拡大図である（実施例）。
【発明を実施するための形態】
【００１６】
燃料噴射弁は、噴孔を開閉する噴射弁体と、噴射弁体を開弁方向に駆動する駆動力を発生するアクチュエータとを備える。また、燃料噴射弁は、所定の摺動孔を有するボディと、摺動孔に摺動自在に収容されてボディとともに燃料の流動部を形成する摺動部材とを備え、摺動部材は、流動部を液密的に封鎖するとともに、アクチュエータの動作に応じて、摺動孔内を移動して流動部の容積を可変する。そして、流動部には磁石が配されている。
また、摺動部材は、非磁性材を素材として設けられている。
【００１７】
なお、流動部は、噴射弁体に対し閉弁方向に燃料圧を作用させるとともに、燃料圧の増減操作により噴射弁体を開弁方向または閉弁方向に駆動するための制御室である。また、制御室へ燃料を流入させるための流入流路、および、制御室から燃料を流出させるための流出流路が形成されている。そして、燃料噴射弁は、アクチュエータの動作に応じて、流出流路を制御室に対して開閉することで、制御室への燃料の流出入状態を可変して制御室の燃料圧を増減する。
【００１８】
さらに、摺動部材は噴射弁体であり、流動部は、噴射弁体に対し開弁方向に燃料圧が作用するとともに、噴孔から噴射される燃料が溜まるノズル室である。
【実施例】
【００１９】
〔実施例の構成〕
実施例の燃料噴射弁１の構成を、図面に基づいて説明する。
燃料噴射弁１は、例えば、内燃機関（図示せず）の気筒内に燃料を噴射して供給するものであり、内燃機関の気筒ごとに装着されている。そして、燃料噴射弁１は、例えば、燃料を高圧状態で蓄圧するコモンレール（図示せず）、燃料を高圧化してコモンレールに供給する燃料供給ポンプ（図示せず）、および燃料噴射弁１や燃料供給ポンプの動作を制御する電子制御装置（図示せず：以下、ＥＣＵと呼ぶ）等とともに、燃料噴射装置を構成する。
【００２０】
燃料噴射弁１は、例えば、図１〜図３に示すように、噴孔２を開閉する噴射弁体３と、噴射弁体３に当接して噴射弁体３と一体的に移動するコマンドピストン４と、噴射弁体３を閉弁方向に付勢するスプリング５と、噴射弁体３を開弁方向に駆動する駆動力を発生するアクチュエータ６とを備える。また、燃料噴射弁１は、噴射弁体３に対し閉弁方向に燃料圧を作用させるための制御室９、制御室９へ燃料を流入させるための流入流路１０、および、制御室９から燃料を流出させるための流出流路１１を形成する。
【００２１】
ここで、流入、流出流路１０、１１には、それぞれ、制御室９への燃料の流入を規制する流入側絞り１３、制御室９からの燃料の流出を規制する流出側絞り１４が設けられている。
【００２２】
噴射弁体３は、ノズルボディ１５に設けられた摺動孔１６に摺動自在に収容され、ノズルボディ１５との間に、コモンレールから受け入れた高圧の燃料が溜まるノズル室１７を形成する。また、噴射弁体３は、自身の摺動軸部１８の外周面と摺動孔１６の壁面との間に摺動隙間１９を形成するとともに、ノズル室１７を液密的に封鎖する。つまり、噴射弁体３は、燃料噴射弁１の内部で燃料の流動部の１つであるノズル室１７を形成する摺動部材である。
【００２３】
そして、噴射弁体３は、アクチュエータ６の動作に応じて摺動孔１６内を開弁方向または閉弁方向に移動し、ノズル室１７に対して噴孔２を開閉する。なお、ノズル室１７の燃料圧は、噴射弁体３に対し開弁方向に作用する。また、ノズル室１７の容積は、噴射弁体３の移動に応じて可変される。
【００２４】
コマンドピストン４は、本体ボディ２１に設けられた摺動孔２２に摺動自在に収容され、本体ボディ２１との間に制御室９を形成する。また、コマンドピストン４は、自身の摺動軸部２３の外周面と摺動孔２２の壁面との間に摺動隙間２４を形成するとともに、制御室９を液密的に封鎖する。つまり、コマンドピストン４は、燃料噴射弁１の内部で燃料の流動部の１つである制御室９を形成する摺動部材である。
【００２５】
そして、コマンドピストン４は、アクチュエータ６の動作に応じて摺動孔２２内を移動し、制御室９の容積を可変する。また、制御室９の燃料圧は、コマンドピストン４を介して噴射弁体３に作用する。
なお、制御室９から摺動隙間２４を経てリークした燃料、およびノズル室１７から摺動隙間１９を経てリークした燃料は、スプリング５を収容する低圧室２５に流入する。そして、低圧室２５に流入した燃料は燃料タンク（図示せず）に戻される。
【００２６】
アクチュエータ６は、ＥＣＵからの指令に応じて通電開始または停止されるソレノイドコイル２８、ソレノイドコイル２８への通電により励磁されて一方側に駆動されるアーマチャ２９、アーマチャ２９を他方側に付勢するスプリング３０、アーマチャ２９の先端に保持され、アーマチャ２９とともに変位して流出流路１１を制御室９に対して開閉する弁体３１を有する（以下、アクチュエータ６を電磁弁６と呼ぶ）。
【００２７】
そして、電磁弁６は、ＥＣＵからの指令に応じて、弁体３１を一方側または他方側に変位させて流出流路１１を制御室９に対して開閉することで、制御室９への燃料の流出入状態を可変して、噴射弁体３を開弁方向または閉弁方向に駆動する。
【００２８】
以上の構成により、ソレノイドコイル２８に通電が開始されると、アーマチャ２９および弁体３１が一方側に変位して流出流路１１が制御室９に対して開放される。ここで、流出側絞り１４の方が流入側絞り１３よりも絞り前後の圧力差が大きいため、流出流路１１が制御室９に対して開放されると、流入流路１０から制御室９への燃料の流入量よりも、制御室９から流出流路１１への燃料の流出量が大きくなって制御室９の燃料圧が低下する。このため、噴射弁体３に作用する合力は開弁方向に強くなり、噴射弁体３が開弁方向に駆動されて噴孔２を開放し、燃料の噴射が開始される。
【００２９】
そして、ソレノイドコイル２８への通電が停止されると、アーマチャ２９および弁体３１が他方側に変位して流出流路１１が制御室９に対して閉鎖される。これにより、制御室９から流出流路１１への燃料の流出が止まり、流入流路１０から制御室９への燃料の流入により制御室９の燃料圧が上昇する。このため、噴射弁体３に作用する合力は閉弁方向に強くなり、噴射弁体３が閉弁方向に駆動されて噴孔２を閉鎖し、燃料の噴射が停止される。
【００３０】
〔実施例の特徴〕
実施例の燃料噴射弁１の特徴を、図面に基づいて説明する。
実施例の燃料噴射弁１によれば、図２、図３に示すように、燃料の流動部としての制御室９やノズル室１７に、各々、磁石３４、３５が配されている。
【００３１】
磁石３４は、例えば、板状に設けられた変形前磁石を、コマンドピストン４の制御室９側に設けられた突起３６に巻き付けて円筒状に変形することで、制御室９に配されている。また、磁石３５も、磁石３４と同様の変形前磁石を、噴射弁体３の括れ部３７に巻き付けて円筒状に変形することで、ノズル室１７に配されている。
また、噴射弁体３やコマンドピストン４は、非磁性材を素材として設けられている。
【００３２】
〔実施例の効果〕
実施例の燃料噴射弁１は、摺動孔２２を有する本体ボディ２１と、摺動孔２２に摺動自在に収容されて本体ボディ２１とともに制御室９を形成するコマンドピストン４とを備え、コマンドピストン４は、制御室９を液密的に封鎖するとともに、電磁弁６の動作に応じて、摺動孔２２内を移動して制御室９の容積を可変する。そして、制御室９には磁石３４が配されている。
【００３３】
また、燃料噴射弁１は、摺動孔１６を有するノズルボディ１５と、摺動孔１６に摺動自在に収容されてノズルボディ１５とともにノズル室１７を形成する噴射弁体３とを備え、噴射弁体３は、ノズル室１７を液密的に封鎖するとともに、電磁弁６の動作に応じて、摺動孔１６内を移動してノズル室１７の容積を可変する。そして、ノズル室１７には磁石３５が配されている。
【００３４】
これにより、制御室９およびノズル室１７の燃料に含まれる鉄系の異物は、それぞれ、磁石３４、３５に吸引されて捕捉されるので、制御室９から摺動隙間２４の方に向う燃料、およびノズル室１７から摺動隙間１９の方に向う燃料は、少なくとも鉄系異物が除去された状態になる。このため、液密性を維持する必要がある制御室９およびノズル室１７を内部に形成する燃料噴射弁１において、異物の多い粗悪な燃料を使用しても、噴射特性を損なわずに長期使用に耐えうるようにすることができる。
【００３５】
また、噴射弁体３やコマンドピストン４は、非磁性材を素材として設けられている。
これにより、噴射弁体３は、ノズル室１７に磁石３５が存在しても磁化しなくなり、コマンドピストン４は、制御室９に磁石３４が存在しても磁化しなくなるので、鉄系異物は、より磁石３４、３５の方に移動し易くなるとともに、摺動隙間１９、２４の方には移動しにくくなる。このため、磁石３４、３５による鉄系異物の除去が、より効率的になる。
【００３６】
〔変形例〕
実施例の燃料噴射弁１によれば、磁石３４、３５は、板状に設けられた変形前磁石を、それぞれ、コマンドピストン４や噴射弁体３の所定部位に巻き付けて円筒状に変形することで、制御室９やノズル室１７に配されていたが、磁石３４、３５を制御室９やノズル室１７に配する態様は、このような態様に限定されない。
【００３７】
例えば、磁石３４、３５を予め円筒状に設けておき、突起３６や括れ部３７に装着してもよい。この場合、噴射弁体３に関し、括れ部３７よりも噴孔２側の部分を括れ部３７と略同一径に設けておくことで、括れ部３７への磁石３５の装着が容易になる。
また、コマンドピストン４や噴射弁体３における磁石３４、３５の装着部位に穴を設けておき、穴に磁石３４、３５を挿入したり、穴と磁石３４、３５との間に係止構造を形成したりすることで、磁石３４、３５を制御室９やノズル室１７に配してもよい。
【００３８】
また、実施例の燃料噴射弁１によれば、電磁弁６において発生する磁気吸引力に基づいて、噴射弁体３が開弁方向または閉弁方向に駆動されていたが、例えば、ピエゾ素子の伸長力に基づいて噴射弁体３を駆動する燃料噴射弁にも、実施例のような磁石による異物除去構造を組み込むことができる。
【００３９】
また、実施例の燃料噴射弁１によれば、電磁弁６において発生する磁気吸引力に基づいて制御室９の燃料圧を増減操作することで、噴射弁体３が開弁方向または閉弁方向に駆動されていたが、ソレノイドコイルへの通電により生じる磁気吸引力により直接的に噴射弁体を駆動する燃料噴射弁にも、実施例のような磁石による異物除去構造を組み込むことができる。
【００４０】
また、実施例の燃料噴射弁１によれば、噴射弁体３やコマンドピストン４のような摺動部材は、非磁性材を素材として設けられていたが、噴射弁体３やコマンドピストン４の摺接を受けるノズルボディ１５や本体ボディ２１のような被摺動部材を、非磁性材を素材として設けてもよい。
【００４１】
また、摺動部材や被摺動部材を、非磁性材を素材として設ける場合、各々の部材の全体を非磁性材により設けるのではなく、摺接する部分（例えば、噴射弁体３の摺動軸部１８や、コマンドピストン４の摺動軸部２３）のみを非磁性材により設けてもよい。
【００４２】
さらに、燃料の流動部への磁石の配置、および、摺動部材や被摺動部材の非磁性材化のような異物除去構造は、使用される燃料の異物特性や、要求される使用期間等に応じて適宜選択して採用してもよい。
【符号の説明】
【００４３】
１  燃料噴射弁
２  噴孔
３  噴射弁体（摺動部材）
４  コマンドピストン（摺動部材）
６  電磁弁（アクチュエータ）
９  制御室（流動部）
１０  流入流路
１１  流出流路
１５  ノズルボディ（ボディ）
１６  摺動孔
１７  ノズル室（流動部）
２１  本体ボディ（ボディ）
２２  摺動孔
３４  磁石
３５  磁石
【図１】
2010163981.tif 000003
【図２】
2010163981.tif 000004
【図３】
2010163981.tif 000005